(57)【特許請求の範囲】
【請求項１】
柱と梁からなる鉄骨構造体に外装材を取付けるに際し、外装材の取付下地として水平板の外側端を立ち上げて外側垂直板とし、内側端を立ち下げて内側垂直板とした略Ｚ形の胴縁を設け、外装材としての角波鋼板を前記外側垂直板に沿わせて取付け金物でまたは直接ねじ止めすることを特徴とした外装材の取付構造。
【請求項２】
胴縁の外側垂直板の上端は内側への傾斜板とし、かつ、取り付け金物として、垂直板の下端を上方に鋭角に折り曲げ、先端を傾斜板の挿入用溝条を形成するように折返してなるクリップ金物を前記垂直板部分をねじ止めすることで角波鋼板に予め取付け、該クリップ金物を外側垂直板の上端の傾斜板に嵌着させて胴縁に角波鋼板を係止する請求項１記載の外装材の取付構造。
【請求項３】
角波鋼板の左右端は内側へ略Ｌ字形に折り曲げて接続継手を形成し、この接続継手同士を重合して接続する請求項１または請求項２記載の外装材の取付構造。
【請求項４】
角波鋼板の左右端接続部は接続継手同士の重合部を胴縁の外側垂直板にねじ止め固定する請求項３記載の外装材の取付構造。
【請求項５】
柱と梁からなる鉄骨構造体に外装材を取付けるに際し、外装材の取付下地として水平板の外側端を立ち上げて外側垂直板とし、内側端を立ち下げて内側垂直板とした略Ｚ形の胴縁を設け、合成樹脂の発泡シートを石膏ボードで被覆してなる耐火パネルを胴縁の外側垂直板に開脚型ビスで固定し、その外側を覆う角波鋼板は左右端は内側へ略Ｌ字形に折り曲げて接続継手を形成し、角波鋼板は接続継手同士を重合し、この重合部分を耐火パネルを貫通するタッピンねじで胴縁の外側垂直板に固定することを特徴としたことを特徴とする外装材の取付構造。
【請求項６】
耐火パネルは、複数枚のパネルが側面同士を突き合わせて並べられているジョイント部の発泡シート間に無機質系の耐熱膨張材を充填する請求項５記載の外装材の取付構造。
【発明の詳細な説明】
【０００１】
【発明の属する技術分野】
本発明は、機械式立体駐車場を初めとして、倉庫、工場、体育館等で鉄骨製の柱と梁からなる鉄骨構造体で、外装材を取付ける外装工事を作業性良く行えるようにした外装材の取付構造に関するものである。
【０００２】
【従来の技術】
種々の建物のうち、駐車場について述べると、都市の過密化に応じた用地不足に対応するものとして近年では駐車場の立体化が提唱され、多数のケージを上下にループ状に循環させる観覧車形式の垂直循環式駐車装置、ケージ（ハンガ）の昇降軌道に添わせて多段に駐車棚を構築したエレベータ式の機械式駐車装置など、種々の機械式立体駐車装置が開発されている。
【０００３】
この種の駐車装置を備えた駐車場を建設する際には、エレベータ式のものを例にとって説明すると、先ず敷地の四隅に柱を立て、これら柱に梁を掛け渡して架構による鉄骨の構造体を構築し、その構造体内に、ガイドレールを配設しこれに沿ってケージを昇降自在に設けるとともにケージの昇降軌道に沿って間隔をおいて駐車棚を設け、ケージと駐車棚との間で車載又は空のパレットを受け渡すためのパレット駐車装置と、車両の入庫・出庫用のフロアにそのケージの真下の部位にターンテーブル式のパレット旋回装置を設置する駐車装置を構築したのち、構造体の外側に足場を組立て、この足場を用いて壁板を取付けるなどの外壁施工作業を行っていたが、過密状態の都市部においては、既存のビルとビルの間など極度に制限されたスペースに駐車場を構築する必要が生じるため、壁板の取付けや取付け後の補修工事の際に構造体の外側に足場を組立てることは必ずしも容易でない。このことは駐車場に限らず他の建築物についてもいえることである。
【０００４】
そこで、外足場を用いずに、外壁を形成すべき構造体の内側から作業を行える外壁施工方法が提案され、例えば特開平6-200650号公報では図10に示すように、波板状のパネル１にフック状の支持金物２を取付けておき、構造体内に構築した駐車装置を足場にしてこのパネル１を内側から角形パイプによる胴縁（桁材）３の外側に持っていき、鉤型の支持金物２を胴縁３に跨がせ、引っかけてタッピンねじ等でねじ止めするなどして固定する。
【０００５】
なお、パネル１は構造体の取囲み方向に多数に分割されたもので、図11に示すように左右側縁端の係合部１ａは雄雌形状に折り曲げ形成されており、これらの係合部１ａが組み合わさる。
【０００６】
また、図12、図13に示すように同様に角形パイプによる胴縁３に支持金物２と締付金物４を用いて固定する方法や図示は省略するがこの胴縁３がＣ型チャンネル鋼材等による場合などもある。
【０００７】
なお、立体駐車場以外の一般鉄骨造建築物の施工においても、隣地との間にスペースが少なく、外部足場を組めないような場合が多い。
【０００８】
【発明が解決しようとする課題】
前記胴縁３に支持金物２もしくは支持金物２と締付金物４を用いて固定する場合に、従来は胴縁３は角形パイプもしくはＣ型チャンネル鋼材等を使用した中空部材によるものであり、支持金物２がこれらの中空部がある胴縁３を跨ぐ長いものとなったり、また、中空部内にビス端が突出するなどして止め方が面倒であり、特に図10のようにこの支持金物２を予めパネル１に事前に取付ける場合では支持金物２の断面形状が大きく、大きく突出することになり、パネル１を吊り下げた際にこの支持金物２が邪魔になることが多い。さらに、長い支持金物２での固定では緩みや、金属疲労が生じやすいという心配もある。
【０００９】
一方、図12、図13の場合は、支持金物２を後で取付けるとしても、締付金物４との組み合わせが必ず必要となり、この締付金物４の分だけ部品点数が多くなる。
【００１０】
さらに、前記いずれの場合もパネル１は角波鋼板等単一のものを想定しており、耐火構造とするのに耐火パネルを組み合わせて複合化した場合の外装材の取付けについては何ら考慮されていない。
【００１１】
本発明の目的は前記従来例の不都合を解消し、取付下地としての胴縁に対して短い金物またはビスで堅牢に固定することができ、外足場を用いずに建物の内側から外装材を固定できるいわゆる無足場工法に適し、部材点数も少なく、作業性もよいものであり、耐火構造とする場合でも同様に行うことができる外装材の取付構造を提供することにある。
【００１２】
【課題を解決するための手段】
本発明は前記目的を達成するため、第１に、柱と梁からなる鉄骨構造体に外装材を取付けるに際し、外装材の取付下地として水平板の外側端を立ち上げて外側垂直板とし、内側端を立ち下げて内側垂直板とした略Ｚ形の胴縁を設け、外装材としての角波鋼板を前記外側垂直板に沿わせて取付け金物でまたは直接ねじ止めすること、第２に、胴縁の外側垂直板の上端は内側への傾斜板とし、かつ、取付け金物として、垂直板の下端を上方に鋭角に折り曲げ、先端を傾斜板の挿入用溝条を形成するように折返してなるクリップ金物を前記垂直板部分をねじ止めすることで角波鋼板に予め取付け、該クリップ金物を外側垂直板の上端の傾斜板に嵌着させて胴縁に角波鋼板を係止すること、第３に、角波鋼板の左右端は内側へ略Ｌ字形に折り曲げて接続継手を形成し、この接続継手同士を重合して接続すること、第４に、角波鋼板の左右端接続部は接続継手同士の重合部を胴縁の外側垂直板にねじ止め固定することを要旨とするものである。
【００１３】
また、耐火構造とする場合には、第１に、柱と梁からなる鉄骨構造体に外装材を取付けるに際し、外装材の取付下地として水平板の外側端を立ち上げて外側垂直板とし、内側端を立ち下げて内側垂直板とした略Ｚ形の胴縁を設け、合成樹脂の発泡シートを石膏ボードで被覆してなる耐火パネルを胴縁の外側垂直板に開脚型ボルトで固定し、その外側を覆う角波鋼板は左右端は内側へ略Ｌ字形に折り曲げて接続継手を形成し、角波鋼板は接続継手同士を重合し、この重合部分を耐火パネルを貫通するタッピンねじで胴縁の外側垂直板に固定すること、第２に、耐火パネルは、複数枚のパネルが側面同士を突き合わせて並べられているジョイント部の発泡シート間に無機質系耐熱膨張材を充填することを要旨とするものである。
【００１４】
請求項１記載の本発明によれば、外装材の取付下地としての胴縁は、水平板の外側端を立ち上げて外側垂直板とし、内側端を立ち下げて内側垂直板とし、かつ、外側垂直板の上端は内側への傾斜板とした略Ｚ形のものであり、外装材としての角波鋼板はこの胴縁の外側垂直板に重ねてタッピンねじによるねじ止めで係止するので、胴縁に中空部分がなく、薄い部分をもって止めることができる。また、外足場を用いずに外装材の取付けを構造体の内側から作業を行える。
【００１５】
請求項２記載の本発明によれば、前記作用に加えて、取付け金物として、クリップ金物を角波鋼板に予め取付けておき、これを胴縁の外側垂直板の上端は内側への傾斜板に嵌めることで胴縁に角波鋼板を引っ掛けて仮係止できるとともに、簡易かつ迅速に係止でき、しかも、クリップ金物は角波鋼板から大きく突出することがないので、これを予め取付けておいても邪魔になることはない。
【００１６】
請求項３記載の本発明によれば、角波鋼板の左右端は内側へ略Ｌ字形に折り曲げて接続継手を形成し、この接続継手同士を重合して接続することで止水性を高めることができる。
【００１７】
請求項４記載の本発明によれば、前記クリップ金物のみでは角波鋼板を十分に安定して固定できない場合に、角波鋼板の接続継手同士の重合部を胴縁の外側垂直板にタッピンねじによるねじ止め固定することで固定個所を増して強度のある取付けとすることができ、しかも、このタッピンねじによるねじ止め固定は隣接する２枚の角波鋼板を一か所で固定でき、そのタッピンねじ等のねじも角波鋼板の外側に露出することがないので体裁がよい。
【００１８】
請求項５記載の本発明によれば、前記作用に加えて、耐火構造とするための耐火パネルは、無機質混入塩化ビニル発泡シートの両面を石膏ボードで被覆してなるパネルの側面同士を突き合わせて並べ、これに外装材を組み合わせたパネルで、前記パネルは無機充填材と塩化ビニル樹脂とからなる発泡体で断熱芯材層が形成され、芯材層の表裏面が石膏ボード等の耐火材層で被覆されているので、軽量であり、すぐれた断熱性を発揮し、また、軽量であるがゆえに胴縁の外側垂直板に開脚型ボルトで簡単に固定でき、大板とせずにすみ、施工性がよい。
【００１９】
しかも、外装材を角波鋼板とし、この鋼板で被覆することで、強度、防水性を確保できるものとなり、このように外側を覆う角波鋼板は左右端は内側へ略Ｌ字形に折り曲げて接続継手を形成し、角波鋼板は接続継手同士を重合し、この重合部分を耐火パネルを貫通するタッピンねじで胴縁の外側垂直板に固定することで隣接する２枚の角波鋼板を一か所で固定でき、そのタッピンねじ等のねじも角波鋼板の外側に露出することがないので体裁がよい。また、先に構造体の内側から耐火パネルを取付け、この耐火パネルの上部に空間を用いて角波鋼板を構造体の内側から耐火パネルの外側に取付けることにより外足場を用いずに外装材の取付けを行うことができる。
【００２０】
無機充填材と塩化ビニル樹脂とからなる発泡体で断熱芯材層が形成され、芯材層の表裏面が石膏ボード等の耐火材層で被覆されているパネルは、軽量であり、断熱性、耐火性に優れるが、パネル間のジョイント部に熱膨張しない不燃目地材が充填されていると、火災の際にパネルの表面温度が９２５℃以上になると発泡体が収縮し、熱膨張しない不燃目地材が充填されているジョイント部に隙間の生じることがある。隙間が生じると、熱風や火炎がその隙聞を通ってパネルの加熱側から非加熱側に達し、非加熱内側の温度を規定値以上にまで上昇させることになりかねない。こうした事態を回避しようとして耐火材層を厚くすれば、材料コストがかさむばかりでなく、パネルが重くなり、このパネルを取付けるための工事が次第に難しくなる。請求項６記載の本発明によれば、パネルの側面同士を突き合わせてなる目地には無機質系の耐熱膨脹材が充填されているから、加熱されて芯材の発泡シートが収縮しても隙間を生じることなく、パネル内外間の加熱空気の移動を抑えることができる。
【００２１】
【発明の実施の形態】
以下、図面について本発明の実施の形態を詳細に説明する。図１は本発明の外装材の取付構造の第１実施形態を示す縦断側面図で、図中５は外装材の取付下地としての胴縁であり、水平板５ａの外側端を立ち上げて外側垂直板５ｂとし、内側端を立ち下げて内側垂直板５ｃとした断面略Ｚ形のもので、形鋼からなる。
【００２２】
本実施形態では前記外側垂直板５ｂの上端は更に延設して内側への傾斜板５ｄとし、また、内側垂直板５ｃの下端は延設して内側への傾斜板５ｅを設けた。
【００２３】
この断面略Ｚ形の胴縁５は図示は省略するが機械式立体駐車場の骨組等、柱と梁からなる構造体に外装材を取付ける際の下地として通常の横方向の胴縁のように直接溶接またはアングル材を介して鉄骨柱に直交するように固定されるものである。
【００２４】
図中６は山部６ａと谷部６ｂの連続体による外装材としての角波鋼板で、壁板として構造体の取囲み方向に多数に分割され、その左右端は内側へ直角に、さらにその先端を直角に曲げるように略Ｌ字形に折り曲げて接続継手６ｃを形成し、谷部６ｂの外側で、適宜なピッチを選択して取付け金物としてのクリップ金物７をタッピンねじ８またはボルト等で予め取付けておく。
【００２５】
該クリップ金物７は垂直板７ａの下端を上方に鋭角に折り曲げ、その先端前記傾斜板５ｄの挿入用溝条７ｂを形成するように折返してなるもので、垂直板７ａ部分をタッピンねじ８またはボルト等で角波鋼板６に締結する。
【００２６】
このようにして予めクリップ金物７を設けた角波鋼板６を構造体の内側から胴縁５の外側に持っていき、クリップ金物７の溝条７ｂに外側垂直板５ｂの上端の内側への傾斜板５ｄを挿入させるようにして該クリップ金物７を嵌着させれば、このクリップ金物７を介して胴縁５に角波鋼板６を係止することができる。
【００２７】
その際、胴縁５の外側垂直板５ｂに当接させて左右に並列させる角波鋼板６同士は、構造体内への雨水の侵入を防止するため左右端の接続継手６ｃ部分を重合させた。この場合に角波鋼板６の波の連続方法と平行する折り曲げ部分が重合し、この部分が二重となるので、必要に応じてこの２重に重なる重合部分を外側垂直板５ｂにタッピンねじまたはボルト止めしてもよい。
【００２８】
図４は本発明の他の実施形態を示すもので、前記クリップ金物７の代わりに押さえ板形式の取付け金物９を使用してもよく、また、更に他の実施形態として図示は省略するがこのような取付け金物を使用せずに直接角波鋼板６を胴縁５の外側垂直板５ｂにタッピンねじによるねじ止めで締結してもよい。
【００２９】
図５〜図７は本発明の第３実施形態を示すもので、図６に示すように柱11にアングル材による取付け金物12で設けた胴縁５には、無機質混入塩化ビニル発泡シート10ａの両面を石膏ボード10ｂで被覆してなる耐火パネル10を取付け、その外側を外装材としての角波鋼板６で覆うようにした。
【００３０】
前記耐火パネル10を形成する無機質混入塩化ビニル発泡シート10ａは、炭酸カルシウムや炭酸マグネシウム、タルク等の無機質粒子と塩化ビニル樹脂と発泡剤とからなる混合物を加熱発泡させながら成形したもので、この無機質混入塩化ビニル発泡シート10ａを内外両面を覆う石膏ボード10ｂの間に介在させてこれら両者10ａ，10ｂを、例えばセメントと炭酸カルシウムの重量比が１：１のものを約300 ｇ／ｍ2 の割合で使用したモルタル系接着剤で接着し、その際、無機質混入塩化ビニル発泡シート10ａは、石膏ボード10ｂの周縁から所要の寸法、例えば１〜1.5mm 程度内側に位置するように小さく作る。
【００３１】
かかる耐火パネル10は図９に示すように胴縁５の外側垂直板５ｂに、締め込むにしたがってバネ状に脚部が傘状に広がってアンカーとなる開脚型ボルト13で固定し、並列する耐火パネル10の側面どうしを突き合わせて並べるジョイント部では、無機質混入塩化ビニル発泡シート10ａ同士間に、２〜３mm程度のクリアランスがあり目地が形成されるが、この目地には、無機質系の耐熱膨脹材14、より好ましくは常温で弾性的な圧縮復元性を有する無機質系の耐熱膨脹材14を充填する。この無機質系の耐熱膨脹材14には例えばバーミキュライトと無機質繊維とを有機または無機の結合材で一体化したもの、特に無機質繊維間に比較的大きな空隙を形成しながら一体化して常温での弾性的な圧縮復元性をもたせたものを使用する。
【００３２】
前記のごとき耐火パネル10は、軽量であり、断熱性、耐火性に優れるが、ジョイント部に無機質系の耐熱膨脹材14が充填されているから、加熱されて芯材の発泡シートが収縮しても隙間を生じることなく、内外間の加熱空気の移動を抑えることができる。
【００３３】
そして耐火パネル10の外側を覆う角波鋼板６は図８に示すように左右端の内側へ略Ｌ字形に折り曲げて形成した接続継手６ｃの重合部分を耐火パネル10を貫通するタッピンねじ15で胴縁５の外側垂直板５ｂに固定する。このようにすれば、タッピンねじ15は角波鋼板６の外側面に露出することはない。
【００３４】
なお、これら耐火パネル10や角波鋼板６の取付けに際しては、まず、耐火パネル10には開脚型ボルト13が挿入できるような孔を設けておき、構造体の内側からこの耐火パネル10を胴縁５の外側に持っていき、開脚型ボルト13を挿入して外側垂直板５ｂに固定する。
【００３５】
耐火パネル10の上下長は角波鋼板６より短く、取付けた際にはその上端と上部の胴縁５の間には空間があるので、これを利用して角波鋼板６も構造体の内側からこの耐火パネル10の外側に並べることができ、外部足場なしに取付けが可能である。
【００３６】
【発明の効果】
以上述べたように本発明の外装材の取付構造は、外足場を用いずに建物の内側からの作業によるいわゆる無足場工法が可能なもので、しかも、取付下地としての胴縁に対して短い金物またはタッピンねじ等のねじで堅牢に固定することができ、固定のための部材点数も少なく、作業性もよいものであり、耐火パネルを配して耐火構造とする場合でも同様に簡易かつ迅速に施工することができるものである。
【図面の簡単な説明】
【図１】本発明の外装材の取付構造の第１実施形態を示す縦断側面図である。
【図２】本発明の外装材の取付構造の第１実施形態を示す斜視図である。
【図３】本発明の外装材の取付構造の第１実施形態を示す平面図である。
【図４】本発明の外装材の取付構造の第２実施形態を示す縦断側面図である。
【図５】本発明の外装材の取付構造の第３実施形態を示す平面図である。
【図６】本発明の外装材の取付構造の第３実施形態を示す縦断側面図である。
【図７】本発明の外装材の取付構造の第３実施形態を示す一部切欠いた正面図である。
【図８】本発明の外装材の取付構造の第３実施形態を示す要部の横断平面図である。
【図９】胴縁への耐火パネルの取付けを示す説明図である。
【図１０】従来例を示す斜視図である。
【図１１】従来例を示すパネル端部の平面図である。
【図１２】他の従来例を示す要部の縦断側面図である。
【図１３】他の従来例を示す要部の横断平面図である。
【符号の説明】
１…パネル                        １ａ…係合部
２…支持金物                      ３…胴縁
４…締付金物                      ５…胴縁
５ａ…水平板                      ５ｂ…外側垂直板
５ｃ…内側垂直板                  ５ｄ，５ｅ…傾斜板
６…角波鋼板                      ６ａ…山部
６ｂ…谷部                        ６ｃ…接続継手
７…クリップ金物                  ７ａ…垂直板
７ｂ…溝条                        ８…タッピンねじ
９…取付け金物                    10…耐火パネル
10ａ…無機質混入塩化ビニル発泡シート
10ｂ…石膏ボード                  11…柱
12…取付け金物                    13…開脚型ボルト
14…無機質系の耐熱膨張材          15…タッピンねじ
【図１】
0004003198.tif 000002
【図２】
0004003198.tif 000003
【図３】
0004003198.tif 000004
【図４】
0004003198.tif 000005
【図５】
0004003198.tif 000006
【図６】
0004003198.tif 000007
【図７】
0004003198.tif 000008
【図８】
0004003198.tif 000009
【図９】
0004003198.tif 000010
【図１０】
0004003198.tif 000011
【図１１】
0004003198.tif 000012
【図１２】
0004003198.tif 000013
【図１３】
0004003198.tif 000014